(57)【特許請求の範囲】
【請求項１】
第１の照明器具を点灯制御する点灯制御装置であって、
商用交流電圧を第１の直流電圧に変換する第１の変換回路と、
前記商用交流電圧を第２の直流電圧に変換する第２の変換回路と、
前記第２の直流電圧により充電される蓄電池と、
前記第１の照明器具を点灯制御する制御部と、
を有し、
前記制御部は、前記第１の直流電圧に基づいて前記商用交流電圧が停電しているか否かを判定し、判定結果に基づいて前記商用交流電圧が停電していないと判定したときに前記第１の直流電圧に基づいて前記第１の照明器具に供給する駆動電圧を生成し前記第１の照明器具と異なる第２の照明器具を点灯及び消灯する外部スイッチの操作に基づいて前記第１の照明器具を点灯及び消灯し、前記判定結果に基づいて前記商用交流電圧が停電していると判定したときに前記蓄電池の出力電圧に基づいて前記駆動電圧を生成し前記第１の照明器具を点灯制御すること、
を特徴とする点灯制御装置。
【請求項２】
請求項１に記載の点灯制御装置において、
前記制御部は、前記判定結果に基づいて前記商用交流電圧の停電時に、前記第１の照明器具を徐々に明るく点灯するように前記駆動電圧を生成すること、
を特徴とする点灯制御装置。
【請求項３】
請求項１または２に記載の点灯制御装置において、
前記蓄電池は、前記第２の直流電圧により充電される第１のバッテリ及び第２のバッテリを含み、
前記制御部は、
前記第１のバッテリから出力される第１のバッテリ電圧をしきい値電圧と比較し、前記第１のバッテリ電圧が前記しきい値電圧以上のときには前記第１のバッテリ電圧に基づいて前記第１の照明器具に供給する前記駆動電圧を生成して第１の明るさにて前記第１の照明器具を点灯し、
前記第１のバッテリ電圧が前記しきい値電圧より低いときには前記第２のバッテリから出力される第２のバッテリ電圧に基づいて前記駆動電圧を生成して前記第１の明るさよりも暗い第２の明るさにて前記第１の照明器具を点灯すること、
を特徴とする点灯制御装置。
【請求項４】
請求項３に記載の点灯制御装置において、
前記制御部に接続されたスイッチ部を有し、
前記制御部は、前記スイッチ部の短押しに基づいて前記第１の照明器具を点灯・消灯し、前記スイッチ部の長押しに基づいて前記だい１照明の明るさを変更すること、
を特徴とする点灯制御装置。
【請求項５】
請求項３または４に記載の点灯制御装置において、
前記制御部に接続された表示部を有し、
前記制御部は、前記第１の照明器具の点灯制御に応じて前記表示部を所定の周期にて点灯制御するものであり、
前記所定の周期は、第１の期間と、前記第１の期間より短い第２の期間とを含み、
前記制御部は、前記第１の照明器具を前記第１の明るさにて点灯しているときに、前記第２の期間の明るさを前記第１の期間の明るさよりも暗くし、前記第１の照明器具を前記第２の明るさにて点灯しているときに、前記第１の期間の明るさを前記第２の期間の明るさよりも暗くすること、
を特徴とする点灯制御装置。
【請求項６】
請求項５に記載の点灯制御装置において、
前記制御部は、前記蓄電池の出力電圧に基づいて前記蓄電池が異常か否かを判定し、前記蓄電池を異常と判定したときに前記表示部の点灯状態を変更すること、
を特徴とする点灯制御装置。
【請求項７】
請求項１〜６のいずれか一項に記載の点灯制御装置において、
内部スイッチを有し、
前記制御部は、前記判定結果に基づいて前記商用交流電圧が停電していると判定したときに前記内部スイッチの操作に基づいて、前記第１の照明器具を点灯・消灯すること、
を特徴とする点灯制御装置。
【発明の詳細な説明】
【技術分野】
【０００１】
本発明は、点灯制御装置に関するものである。
【背景技術】
【０００２】
従来、バッテリを備え、商用電力の停電時に電力を供給する電源装置が各種提案されている（たとえば、特許文献１参照）。電源装置の出力電力は、たとえば光源を点灯するために利用される。
【先行技術文献】
【特許文献】
【０００３】
【特許文献１】特開２０１３−１７２５０８号公報
【発明の概要】
【発明が解決しようとする課題】
【０００４】
ところで、停電時に点灯する照明器具を容易に点灯制御することが望まれている。
本発明は上記問題点を解決するためになされたものであって、その目的は、停電時に点灯する照明器具を容易に点灯制御することを可能とする点灯制御装置を提供することにある。
【課題を解決するための手段】
【０００５】
上記課題を解決する点灯制御装置は、第１の照明器具を点灯制御する点灯制御装置であって、商用交流電圧を第１の直流電圧に変換する第１の変換回路と、前記商用交流電圧を第２の直流電圧に変換する第２の変換回路と、前記第２の直流電圧により充電される蓄電池と、前記第１の照明器具を点灯制御する制御部と、を有し、前記制御部は、前記第１の直流電圧に基づいて前記商用交流電圧が停電しているか否かを判定し、判定結果に基づいて前記商用交流電圧が停電していないと判定したときに前記第１の直流電圧に基づいて前記第１の照明器具に供給する駆動電圧を生成し前記第１の照明器具と異なる第２の照明器具を点灯及び消灯する外部スイッチの操作に基づいて前記第１の照明器具を点灯及び消灯し、前記判定結果に基づいて前記商用交流電圧が停電していると判定したときに前記蓄電池の出力電圧に基づいて前記駆動電圧を生成し前記第１の照明器具を点灯制御する。
【０００６】
この構成によれば、第１の照明器具は、商用交流電圧の停電時に蓄電池の出力電圧に基づいて生成した駆動電圧により点灯制御される。そして、第１の照明器具は、商用交流電圧が停電していないときに、第２の照明器具を点灯・消灯する外部スイッチの操作に基づいて点灯制御される。このように、第１の照明器具を容易に点灯制御することが可能となる。
【０００７】
上記の点灯制御装置において、前記制御部は、前記判定結果に基づいて前記商用交流電圧の停電時に、前記第１の照明器具を徐々に明るく点灯するように前記駆動電圧を生成することが好ましい。
【０００８】
この構成によれば、商用交流電圧の停電時に第１の照明器具が徐々に明るくなるため、第１の照明器具をまぶしく感じることが低減される。
上記の点灯制御装置において、前記蓄電池は、前記第２の直流電圧により充電される第１のバッテリ及び第２のバッテリを含み、前記制御部は、前記第１のバッテリから出力される第１のバッテリ電圧をしきい値電圧と比較し、前記第１のバッテリ電圧が前記しきい値電圧以上のときには前記第１のバッテリ電圧に基づいて前記第１の照明器具に供給する前記駆動電圧を生成して第１の明るさにて前記第１の照明器具を点灯し、前記第１のバッテリ電圧が前記しきい値電圧より低いときには前記第２のバッテリから出力される第２のバッテリ電圧に基づいて前記駆動電圧を生成して前記第１の明るさよりも暗い第２の明るさにて前記第１の照明器具を点灯することが好ましい。
【０００９】
この構成によれば、第１のバッテリと第２のバッテリにより第１の照明器具が点灯される。そして、第１のバッテリにより第１の照明器具を点灯するときの明るさよりも第２のバッテリにより第１の照明器具を点灯するときの明るさを暗くすることで、第１のバッテリと第２のバッテリとで同じ明るさにて第１の照明器具を点灯する場合と比べ、第１の照明器具を点灯する時間が長くなる。
【００１０】
上記の点灯制御装置において、前記制御部に接続されたスイッチ部を有し、前記制御部は、前記スイッチ部の短押しに基づいて前記第１の照明器具を点灯・消灯し、前記スイッチ部の長押しに基づいて前記第１の照明器具の明るさを変更することが好ましい。
【００１１】
この構成によれば、スイッチ部の操作により、第１の照明器具の明るさを容易に変更することができる。たとえば、第１の明るさにて第１の照明器具を点灯することにより、快適な明るさが得られる。また、第２の明るさにて第１の照明器具を点灯することにより、長期間にわたって第１の照明器具を点灯することが可能となる。
【００１２】
上記の点灯制御装置において、前記制御部に接続された表示部を有し、前記制御部は、前記第１の照明器具の点灯制御に応じて前記表示部を所定の周期にて点灯制御するものであり、前記所定の周期は、第１の期間と、前記第１の期間より短い第２の期間とを含み、前記制御部は、前記第１の照明器具を前記第１の明るさにて点灯しているときに、前記第２の期間の明るさを前記第１の期間の明るさよりも暗くし、前記第１の照明器具を前記第２の明るさにて点灯しているときに、前記第１の期間の明るさを前記第２の期間の明るさよりも暗くすることが好ましい。
【００１３】
この構成によれば、表示部の明るさは、第１の照明器具の点灯状態に応じて変化する。このため、第１の照明器具の明るさの変更が可能であることを容易に把握される。また、表示部の明るさにより、設定を変更した場合に明るさが変化する方向が容易に把握される。
【００１４】
上記の点灯制御装置において、前記制御部は、前記蓄電池の出力電圧に基づいて前記蓄電池が異常か否かを判定し、前記蓄電池を異常と判定したときに前記表示部の点灯状態を変更することが好ましい。
【００１５】
この構成によれば、制御部により蓄電池が異常か否かが判定される。そして、表示部の表示形態により蓄電池の異常が容易に把握される。
上記の点灯制御装置において、内部スイッチを有し、前記制御部は、前記判定結果に基づいて前記商用交流電圧が停電していると判定したときに前記内部スイッチの操作に基づいて、前記第１の照明器具を点灯・消灯することが好ましい。
【００１６】
この構成によれば、内部スイッチにより、商用交流電圧の停電中に第１の照明器具を容易に点灯・消灯することが可能となる。
【発明の効果】
【００１７】
本発明の点灯制御装置によれば、停電時に点灯する照明器具を容易に点灯制御することを可能とすることができる。
【図面の簡単な説明】
【００１８】
【図１】照明システムの概略ブロック図。
【図２】制御部のブロック回路図。
【図３】点灯制御装置の概略正面図。
【図４】（ａ）〜（ｃ）は表示部の制御形態を示す説明図。
【図５】（ａ）〜（ｃ）は照明器具の制御形態を示す説明図。
【発明を実施するための形態】
【００１９】
以下、一実施形態を説明する。
図１に示すように、商用交流電源（系統電源）１１は、外部スイッチ１２を介して照明器具１３ａ，１３ｂ（図中、「Ｌ」と表記）に接続されている。外部スイッチ１２はたとえば室内の壁面に設置されている。照明器具１３ａ，１３ｂは、たとえば室内の天井に設置されたランプである。照明器具１３ａ，１３ｂには、外部スイッチ１２のオンオフにより駆動電圧ＶＬＡが供給される。外部スイッチ１２がオンされているとき、照明器具１３ａ，１３ｂには、商用交流電圧ＶＡＣが駆動電圧ＶＬＡとして供給される。外部スイッチ１２がオフされているとき、照明器具１３ａ，１３ｂには商用交流電圧ＶＡＣに基づく駆動電圧ＶＬＡが供給されない。照明器具１３ａ，１３ｂは外部スイッチ１２のオン操作に基づいて供給される商用交流電圧ＶＡＣにより点灯し、外部スイッチ１２のオフ操作に基づいて消灯する。
【００２０】
また、商用交流電源１１は、点灯制御装置１４に接続されている。点灯制御装置１４には、照明器具１５ａ，１５ｂ（図中、「Ｌ」と表記）が接続されている。点灯制御装置１４は、たとえば室内の壁面に設置されている。照明器具１５ａ，１５ｂは、上記の照明器具１３ａ，１３ｂと同様に、たとえば室内の天井に設置されている。照明器具１５ａ，１５ｂは、たとえばＬＥＤ（Light Emitting Diode）ランプである。照明器具１５ａ，１５ｂは、点灯制御装置１４から供給される直流の駆動電圧ＶＬＤに基づいて点灯する。
【００２１】
点灯制御装置１４は、後述するバッテリ２３ａ，２３ｂを有している。点灯制御装置１４は、商用交流電源１１から供給される商用交流電圧に基づいてバッテリ２３ａ，２３ｂを充電する。そして、点灯制御装置１４は、商用交流電圧またはバッテリ２３ａ，２３ｂの出力電圧に基づいて動作する。
【００２２】
点灯制御装置１４は、外部スイッチ１２に接続されている。点灯制御装置１４は、外部スイッチ１２の操作に応じて照明器具１３ａ，１３ｂに商用交流電圧ＶＡＣ（駆動電圧ＶＬＡ）が供給されているか否かを検出する。そして、点灯制御装置１４は、検出結果に基づいて、照明器具１５ａ，１５ｂを点灯・消灯する。たとえば、外部スイッチ１２がオンされて照明器具１３ａ，１３ｂに商用交流電圧ＶＡＣ（駆動電圧ＶＬＡ）が供給されている、つまり照明器具１３ａ，１３ｂが点灯されると、点灯制御装置１４は照明器具１５ａ，１５ｂを点灯する。一方、外部スイッチ１２がオフされて照明器具１３ａ，１３ｂに商用交流電圧ＶＡＣ（駆動電圧ＶＬＡ）が供給されていない、つまり照明器具１３ａ，１３ｂが消灯されると、点灯制御装置１４は照明器具１５ａ，１５ｂを消灯する。すなわち、外部スイッチ１２のオンオフにより、照明器具１３ａ，１３ｂ，１５ａ，１５ｂが点灯・消灯する。
【００２３】
点灯制御装置１４は、商用交流電圧ＶＡＣの停電を検知する機能を有している。商用交流電圧ＶＡＣが停電した場合、点灯制御装置１４は、バッテリ２３ａ，２３ｂの出力電圧に基づいて動作する。商用交流電圧ＶＡＣが停電した場合、照明器具１３ａ，１３ｂは消灯する。点灯制御装置１４は、商用交流電圧ＶＡＣの停電を検知すると、照明器具１５ａ，１５ｂを点灯する。したがって、停電時、室内は、点灯制御装置１４が点灯する照明器具１５ａ，１５ｂにより照明される。
【００２４】
点灯制御装置１４について詳述する。
点灯制御装置１４は、メインスイッチ２１、コンバータ２２ａ，２２ｂ、バッテリ２３ａ，２３ｂ、制御部２４、操作スイッチ２７を有している。制御部２４は、制御回路２５、スイッチ回路２６を有している。操作スイッチ２７は、スイッチ部２８、表示部２９を有している。
【００２５】
図３に示すように、点灯制御装置１４の筐体２０は直方体状に形成され、室内の壁面に設置されている。筐体２０の前面パネル２０Ｆには、メインスイッチ２１と操作スイッチ２７とが配設されている。筐体２０には、図１に示すコンバータ２２ａ，２２ｂ等が収容されている。
【００２６】
図１に示すように、メインスイッチ２１の入力側端子は商用交流電源１１に接続され、メインスイッチ２１の出力側端子はコンバータ２２ａ，２２ｂに接続されている。
メインスイッチ２１は、たとえばサーキットプロテクタであり、スイッチ機能と保護機能を有している。メインスイッチ２１のオン操作により、商用交流電圧がコンバータ２２ａ，２２ｂに供給される。また、メインスイッチ２１のオフ操作により、コンバータ２２ａ，２２ｂに対して商用交流電圧の供給が停止される。メインスイッチ２１は、過電流保護機能によってオフし、商用交流電圧の供給を停止する。
【００２７】
コンバータ２２ａは、商用交流電圧を所定の直流電圧に変換する、所謂交流−直流変換器（ＡＣ／ＤＣコンバータ）である。コンバータ２２ａの出力電圧ＶＡ１は、制御部２４に供給される。つまり、コンバータ２２ａの出力電圧ＶＡ１は、制御部２４の駆動電圧である。以下の説明において、駆動電圧ＶＡ１とする場合がある。
【００２８】
コンバータ２２ｂは、商用交流電圧を所定の直流電圧に変換する、所謂交流−直流変換器（ＡＣ／ＤＣコンバータ）である。コンバータ２２ｂの出力電圧ＶＡ２は、バッテリ２３ａ，２３ｂに供給される。バッテリ２３ａ，２３ｂは、たとえばリチウムイオン蓄電池などの二次電池である。バッテリ２３ａ，２３ｂは、コンバータ２２ｂの出力電圧ＶＡ２を蓄電する。つまり、コンバータ２２ｂの出力電圧ＶＡ２は、バッテリ２３ａ，２３ｂの充電電圧である。以下の説明において、充電電圧ＶＡ２とする場合がある。
【００２９】
バッテリ２３ａ，２３ｂは、コンバータ２２ｂの出力電圧ＶＡ２を充電する。なお、バッテリ２３ａ，２３ｂは、コンバータ２２ｂの出力電圧ＶＡ２が所定の電圧以上のときには、充電動作を行わない。そして、バッテリ２３ａ，２３ｂは、コンバータ２２ｂの出力電圧ＶＡ２が所定の電圧以下となった後、出力電圧ＶＡ２が所定の電圧以上になると、その出力電圧ＶＡ２を充電する。
【００３０】
本実施形態において、バッテリ２３ａ，２３ｂは互いに同じ特性を有している。つまり、満充電において、バッテリ２３ａ，２３ｂの出力電圧ＶＢ１，ＶＢ２は互いに等しい。バッテリ２３ａ，２３ｂの出力電圧ＶＢ１，ＶＢ２は、制御部２４に供給される。これらの出力電圧ＶＢ１，ＶＢ２を以下の説明においてバッテリ電圧ＶＢ１，ＶＢ２とする場合がある。つまり、制御部２４には、駆動電圧ＶＡ１とバッテリ電圧ＶＢ１，ＶＢ２が供給される。
【００３１】
制御部２４は、駆動電圧ＶＡ１、バッテリ電圧ＶＢ１，ＶＢ２に基づいて動作する。たとえば、制御部２４は、駆動電圧ＶＡ１とバッテリ電圧ＶＢ１，ＶＢ２のうち、最も高い電圧に基づいて動作する。そして、コンバータ２２ａは、バッテリ２３ａ，２３ｂの出力電圧ＶＢ１，ＶＢ２より高い駆動電圧ＶＡ１を生成する。たとえば、駆動電圧ＶＡ１は２４ボルト（Ｖ）であり、バッテリ２３ａ，２３ｂの出力電圧ＶＢ１，ＶＢ２は２１Ｖである。
【００３２】
制御部２４は、制御回路２５とスイッチ回路２６とを含む。
制御回路２５には、駆動電圧ＶＡ１とバッテリ電圧ＶＢ１，ＶＢ２が供給される。制御回路２５は、駆動電圧ＶＡ１とバッテリ電圧ＶＢ１，ＶＢ２のいずれか１つの電圧に基づいて動作する。
【００３３】
スイッチ回路２６には、駆動電圧ＶＡ１とバッテリ電圧ＶＢ１，ＶＢ２が供給される。スイッチ回路２６は、駆動電圧ＶＡ１とバッテリ電圧ＶＢ１，ＶＢ２に対応するスイッチ部を含む。各スイッチ部は、制御回路２５から供給される制御信号に応答してオンオフする。オンしたスイッチ部に供給される電圧に基づく駆動電圧ＶＬＤが照明器具１５ａ，１５ｂに供給される。照明器具１５ａ，１５ｂは、供給される駆動電圧ＶＬＤに基づいて点灯する。
【００３４】
制御回路２５には操作スイッチ２７が接続されている。操作スイッチ２７は、スイッチ部２８と表示部２９とを有している。スイッチ部２８は、たとえばプッシュスイッチである。表示部２９は、スイッチ部２８の操作面を照明するように配設されている。
【００３５】
制御回路２５は、スイッチ部２８のオンオフ操作に基づいて、作動情報を変更する。制御回路２５の作動情報は、停電時における照明器具１５ａ，１５ｂの動作を設定するための情報である。制御回路は、作動情報と、自装置（点灯制御装置１４）の構成や状態に応じて、スイッチ回路２６を制御する。自装置の構成はたとえば、搭載したバッテリの数、接続された照明器具の数、である。自装置の状態はたとえば、バッテリの残量（残電圧）である。
【００３６】
制御回路２５は、作動情報に応じて、表示部２９を点灯・消灯制御する。たとえば、制御回路２５は、作動情報に応じて、点灯間隔、点灯輝度を制御する。したがって、表示部２９の状態に応じて、作動情報を把握することができる。また、作動情報を変更した場合、表示部２９の状態により、作動情報の変更を確認することができる。
【００３７】
図２は、制御部２４の構成の一例を示すブロック回路図である。
制御部２４は、制御回路２５とスイッチ回路２６を含む。
制御回路２５は、中央演算処理装置（ＣＰＵ）３１、レギュレータ３２、分圧回路３３ａ〜３３ｃ、検出電圧生成回路３４、スイッチ接続回路３５を有している。制御部２４は、たとえば、単一または複数枚のプリント基板に実装された電子部品により構成される。また、プリント基板には、図１に示すコンバータ２２ａやバッテリ２３ａ，２３ｂ等に接続されるコネクタが実装されている。
【００３８】
制御部２４のコネクタＣＮ１１の第１端子には、駆動電圧ＶＡ１が供給され、コネクタＣＮ１１の第２端子はグランドＧＮＤに接続されている。制御部２４のコネクタＣＮ１２の第１端子には、バッテリ電圧ＶＢ１が供給され、コネクタＣＮ１２の第２端子はグランドＧＮＤに接続されている。制御部２４のコネクタＣＮ１３の第１端子には、バッテリ電圧ＶＢ２が供給され、コネクタＣＮ１３の第２端子はグランドＧＮＤに接続されている。
【００３９】
また、コネクタＣＮ１１の第１端子はダイオードＤ１１のアノードに接続されている。コネクタＣＮ１２の第１端子はダイオードＤ１２のアノードに接続されている。また、コネクタＣＮ１３の第１端子はダイオードＤ１３のアノードに接続されている。ダイオードＤ１１〜Ｄ１３のカソードは互いに接続され、その接続点はレギュレータ３２の入力端子に接続されている。したがって、レギュレータ３２には、駆動電圧ＶＡ１とバッテリ電圧ＶＢ１，ＶＢ２のうち、最も高い電圧が直流電圧ＶＳ１として供給される。
【００４０】
レギュレータ３２は、定電圧回路であり、直流電圧ＶＳ１に基づいて、一定の電源電圧Ｖｃｃを生成する。電源電圧Ｖｃｃは、中央演算処理装置（ＣＰＵ）３１に供給される。つまり、レギュレータ３２は、ＣＰＵ３１に対応する電圧値の電源電圧Ｖｃｃを生成する。電源電圧Ｖｃｃの電圧値は、たとえば５Ｖである。ＣＰＵ３１は、この電源電圧Ｖｃｃにより動作する。
【００４１】
また、コネクタＣＮ１１，ＣＮ１２，ＣＮ１３の第１端子はそれぞれ分圧回路３３ａ，３３ｂ，３３ｃに接続されている。
分圧回路３３ａは、コネクタＣＮ１１の第１端子とグランドＧＮＤとの間に直列に接続された複数の抵抗素子を含む。分圧回路３３ａは、抵抗素子の抵抗値に応じた所定の比率にて駆動電圧ＶＡ１を分圧して分圧電圧Ｖｄａを生成する。同様に、分圧回路３３ｂ，３３ｃはそれぞれ、コネクタＣＮ１２，ＣＮ１３の第１端子とグランドＧＮＤの間に直列に接続された複数の抵抗素子を含む。分圧回路３３ｂ，３３ｃは、抵抗素子の抵抗値に応じた比率にてバッテリ電圧ＶＢ１，ＶＢ２を分圧して分圧電圧Ｖｄ１，Ｖｄ２を生成する。たとえば、分圧回路３３ａ〜３３ｃの分圧比は、互いに等しい値に設定されている。
【００４２】
分圧電圧Ｖｄａ，Ｖｄ１，Ｖｄ２はＣＰＵ３１に供給される。ＣＰＵ３１は、分圧電圧Ｖｄａ，Ｖｄ１，Ｖｄ２に基づいて、駆動電圧ＶＡ１とバッテリ電圧ＶＢ１，ＶＢ２の電圧値を検出する。たとえば、ＣＰＵ３１は、アナログ−デジタル変換回路（ＡＤＣ）を有し、変換によりデジタル値を得る。ＣＰＵ３１は、検出した駆動電圧ＶＡ１の電圧値に基づいて、商用交流電圧ＶＡＣの停電を検知する。
【００４３】
ＣＰＵ３１は、検出したバッテリ電圧ＶＢ１の電圧値に基づいて、図１に示すバッテリ２３ａの残量を検知する。同様に、ＣＰＵ３１は、検出したバッテリ電圧ＶＢ２の電圧値に基づいて、図１に示すバッテリ２３ｂの残量を検知する。また、ＣＰＵ３１は、検出したバッテリ電圧ＶＢ１，ＶＢ２の電圧値に基づいて、バッテリ２３ａ，２３ｂの異常を判定する。
【００４４】
スイッチ回路２６は、３つのスイッチ回路ＳＷ２１，ＳＷ２２，ＳＷ２３と、３つのダイオードＤ２１，Ｄ２２，Ｄ２３と、保護素子Ｆ２１を含む。
スイッチ回路ＳＷ２１，ＳＷ２２，ＳＷ２３には駆動電圧ＶＡ１とバッテリ電圧ＶＢ１，ＶＢ２がそれぞれ供給される。スイッチ回路ＳＷ２１〜ＳＷ２３の出力端子はダイオードＤ２１〜Ｄ２３のアノードにそれぞれ接続されている。ダイオードＤ２１〜Ｄ２３のカソードは互いに接続され、その接続点は保護素子Ｆ２１の第１端子に接続され、保護素子Ｆ２１の第２端子はコネクタＣＮ２の第１端子に接続されている。保護素子Ｆ２１はたとえば自己復帰型のヒューズである。コネクタＣＮ２の第２端子はグランドＧＮＤに接続されている。コネクタＣＮ２には、図１に示す照明器具１５ａ，１５ｂが接続される。
【００４５】
スイッチ回路ＳＷ２１にはＣＰＵ３１から制御信号ＳＣａが供給される。スイッチ回路ＳＷ２１は、トランジスタ（バイポーラトランジスタ、ＭＯＳトランジスタ）と抵抗を含む。スイッチ回路ＳＷ２１は、制御信号ＳＣａに基づいてオンオフする。オンしたスイッチ回路ＳＷ２１を介して、駆動電圧ＶＡ１に応じた電圧がダイオードＤ２１に供給される。
【００４６】
スイッチ回路ＳＷ２２，ＳＷ２３にはＣＰＵ３１から制御信号ＳＣ１，ＳＣ２が供給される。スイッチ回路ＳＷ２２，ＳＷ２３はスイッチ回路ＳＷ２１と同様に、制御信号ＳＣ１，ＳＣ２に基づいてオンオフする。オンしたスイッチ回路ＳＷ２２，ＳＷ２３を介して、バッテリ電圧ＶＢ１，ＶＢ２に応じた電圧がダイオードＤ２２，Ｄ２３に供給される。ダイオードＤ２１〜Ｄ２３を通過した電圧は、駆動電圧ＶＬＤとして保護素子Ｆ２１を介してコネクタＣＮ２に出力される。そして、その駆動電圧ＶＬＤは、コネクタＣＮ２に接続された照明器具１５ａ，１５ｂ（図１参照）に供給される。
【００４７】
ＣＰＵ３１は、分圧電圧Ｖｄａ，Ｖｄ１，Ｖｄ２に基づいて、照明器具１５ａ，１５ｂ（図１参照）に供給する電圧を制御する。たとえば、ＣＰＵ３１は、分圧電圧Ｖｄａに基づいて、商用交流電圧ＶＡＣが供給されている、つまり商用交流電圧ＶＡＣが停電していないとき、制御信号ＳＣａによりスイッチ回路２６のスイッチ回路ＳＷ２１を制御する。
【００４８】
ＣＰＵ３１は、検出電圧生成回路３４を介してコネクタＣＮ３に接続されている。コネクタＣＮ３は、図１に示す外部スイッチ１２に接続されている。コネクタＣＮ３には、外部スイッチ１２の操作に応じて商用交流電圧ＶＡＣ（駆動電圧ＶＬＡ）が供給される。検出電圧生成回路３４は、商用交流電圧ＶＡＣに応じた検出電圧Ｖｋを生成する。
【００４９】
コネクタＣＮ３の第１端子は、抵抗Ｒ３１の第１端子に接続され、抵抗Ｒ３１の第２端子はダイオードＤ３１のアノードに接続されている。ダイオードＤ３１のカソードはフォトカプラＰＣ３１の入力端子に接続されている。フォトカプラＰＣ３１は発光素子（発光ダイオード）と受光素子（フォトトランジスタ）を含む。フォトカプラＰＣ３１の第１出力端子は抵抗Ｒ３２を介して電源電圧Ｖｃｃにプルアップされ、フォトカプラＰＣ３１の第２出力端子はグランドＧＮＤに接続されている。また、フォトカプラＰＣ３１の第１出力端子はトランジスタＴ３１のベースに接続されている。
【００５０】
トランジスタＴ３１はたとえばｎｐｎトランジスタである。トランジスタＴ３１のコレクタは抵抗Ｒ３３を介して電源電圧Ｖｃｃにプルアップされ、トランジスタＴ３１のエミッタはグランドＧＮＤに接続されている。また、トランジスタＴ３１のコレクタは、ダイオードＤ３２のアノードに接続されている。ダイオードＤ３２のカソードはコンデンサＣ３１の第１電極に接続され、コンデンサＣ３１の第２電極はグランドＧＮＤに接続されている。コンデンサＣ３１はたとえば電解コンデンサである。また、ダイオードＤ３２のカソードは、抵抗Ｒ３４の第１端子に接続され、抵抗Ｒ３４の第２端子はグランドＧＮＤに接続されている。さらに、ダイオードＤ３２のカソードはＣＰＵ３１に接続されている。
【００５１】
ＣＰＵ３１は、ダイオードＤ３２により整流されコンデンサＣ３１により平滑化された検出電圧Ｖｋを入力する。この検出電圧Ｖｋの電圧値は、図１に示す外部スイッチ１２の状態に応じて変化する。たとえば、外部スイッチ１２がオンされているとき、検出電圧Ｖｋの電圧値はたとえば３Ｖである。一方外部スイッチ１２がオフされているとき、検出電圧Ｖｋの電圧値は０Ｖである。
【００５２】
ＣＰＵ３１は、分圧電圧Ｖｄａ等と同様に、検出電圧Ｖｋを変換したデジタル値を得る。ＣＰＵ３１は、検出電圧Ｖｋの電圧値に基づいて、外部スイッチ１２の状態（オン状態・オフ状態）を判定する。ＣＰＵ３１は、外部スイッチ１２がオン状態のとき、図１に示す照明器具１５ａ，１５ｂを点灯する。また、ＣＰＵ３１は、商用交流電圧ＶＡＣが供給され、かつ外部スイッチ１２がオフ状態のとき、図１に示す照明器具１５ａ，１５ｂを消灯する。
【００５３】
ＣＰＵ３１は、スイッチ接続回路３５を介してコネクタＣＮ４に接続されている。ＣＰＵ３１は、コネクタＣＮ４の第１端子に接続され、検出信号Ｓ２８を入力する。このコネクタＣＮ４の第１端子は抵抗Ｒ４１により電源電圧Ｖｃｃにプルアップされている。コネクタＣＮ４の第２端子はグランドＧＮＤに接続されている。コネクタＣＮ４の第１端子と第２端子との間に、図１に示すスイッチ部２８が接続されている。スイッチ部２８がオフ状態のとき、検出信号Ｓ２８は電源電圧Ｖｃｃレベル（Ｈレベル）になる。スイッチ部２８のオン操作により検出信号Ｓ２８はグランドＧＮＤレベル（Ｌレベル）になる。ＣＰＵ３１は、検出信号Ｓ２８のレベルに基づいて、図１に示すスイッチ部２８の状態（オン状態・オフ状態）を判定する。
【００５４】
ＣＰＵ３１は、トランジスタＴ４１のベースに接続され、そのベースに対して駆動信号ＳＣ４１を出力する。トランジスタＴ４１はたとえばＮＰＮトランジスタである。トランジスタＴ４１のコレクタは抵抗Ｒ４２を介してコネクタＣＮ４の第３端子に接続されている。
【００５５】
また、ＣＰＵ３１は、トランジスタＴ４２のベースに接続され、そのベースに対して駆動信号ＳＣ４２を出力する。トランジスタＴ４２はたとえばＮＰＮトランジスタである。トランジスタＴ４２のコレクタは直接コネクタＣＮ４の第３端子に接続されている。コネクタＣＮ４の第４端子には直流電圧ＶＳ１が供給される。コネクタＣＮ４の第３端子と第４端子の間に、図１に示す表示部２９が接続されている。
【００５６】
ＣＰＵ３１は、駆動信号ＳＣ４１によりトランジスタＴ４１をオンする。すると、図１に示す表示部２９からコネクタＣＮ４、抵抗Ｒ４２、トランジスタＴ４１を介して電流が流れ、表示部２９が点灯する。また、ＣＰＵ３１は、駆動信号ＳＣ４２によりトランジスタＴ４２をオンする。すると、図１に示す表示部２９からコネクタＣＮ４、トランジスタＴ４２を介して電流が流れ、表示部２９が点灯する。
【００５７】
トランジスタＴ４１をオンしたときに図１の表示部２９に流れる電流量は、トランジスタＴ４２がオンしたときのそれよりも少ない。したがって、トランジスタＴ４１，Ｔ４２を選択的にオンすることにより、図１に示す表示部２９の点灯時の明るさ（輝度）を変更することができる。
【００５８】
図４（ａ）〜図４（ｃ）は、表示部２９の状態を示す。
たとえば、トランジスタＴ４１，Ｔ４２をオフしたとき、図４（ａ）に示すように、表示部２９は消灯する。また、トランジスタＴ４１をオンし、トランジスタＴ４２をオフしたとき、図４（ｂ）に示すように、表示部２９は点灯する。そして、トランジスタＴ４１をオフし、トランジスタＴ４２をオンしたとき、図４（ｃ）に示すように、表示部２９は図４（ｂ）に示す状態よりも明るく点灯する。
【００５９】
次に、ＣＰＵ３１が実行する処理を説明する。
ＣＰＵ３１は、メモリ４１、タイマ４２を有している。
メモリ４１は、プログラムメモリとデータメモリを含む。プログラムメモリには、ＣＰＵ３１の動作プログラムが記憶されている。データメモリは、書き換えが可能な揮発性メモリと、電気的な書き換えが可能な不揮発性メモリとを含む。揮発性メモリには、ＣＰＵ３１の実行における一時的なデータが記憶される。不揮発性メモリには、上記の作業情報が記憶される。ＣＰＵ３１は、プログラムメモリに記憶された動作プログラムを実行する。そして、ＣＰＵ３１は、メモリ４１に記憶された作業情報に基づいて、図１に示す照明器具１５ａ，１５ｂや表示部２９を制御する。また、ＣＰＵ３１は、図１に示すスイッチ部２８の操作に基づいて作業情報を変更する。
【００６０】
ＣＰＵ３１は、駆動電圧ＶＡ１が供給されるスイッチ回路ＳＷ２１を介して照明器具１５ａ，１５ｂに供給する駆動電圧ＶＬＤを制御する。ＣＰＵ３１は、たとえば、パルス状の制御信号ＳＣａをスイッチ回路ＳＷ２１に供給する。ＣＰＵ３１のメモリ４１には、作動情報が格納されている。作動情報は、図１に示す照明器具１５ａ，１５ｂを所定の明るさにて点灯する第１の照度情報と、第１の照度情報よりも低い明るさ（暗い）にて照明器具１５ａ，１５ｂを点灯する第２の照度情報を含む。ＣＰＵ３１は、第１の照度情報または第２の照度情報に応じたパルス幅の制御信号ＳＣａを出力する。スイッチ回路ＳＷ２１は、制御信号ＳＣａに応答してオンオフする。これにより、パルス状の駆動電圧ＶＬＤが図１に示す照明器具１５ａ，１５ｂに供給され、駆動電圧ＶＬＤにより照明器具１５ａ，１５ｂが点灯する。
【００６１】
同様に、ＣＰＵ３１は、バッテリ電圧ＶＢ１，ＶＢ２が供給されるスイッチ回路ＳＷ２２，ＳＷ２３を介して照明器具１５ａ，１５ｂに供給する駆動電圧ＶＬＤを制御する。ＣＰＵ３１は、第１の照度情報または第２の照度情報に応じたパルス幅（デューティ）の制御信号ＳＣ１，ＳＣ２を出力する。スイッチ回路ＳＷ２２，ＳＷ２３は、制御信号ＳＣ１，ＳＣ２に応答してオンオフする。これにより、パルス状の駆動電圧ＶＬＤが図１に示す照明器具１５ａ，１５ｂに供給され、照明器具１５ａ，１５ｂが点灯する。
【００６２】
つまり、ＣＰＵ３１は、商用交流電圧ＶＡＣが供給されているとき、駆動電圧ＶＡ１が供給されるスイッチ回路ＳＷ２１を制御信号ＳＣａによりオンオフ制御し、駆動電圧ＶＬＤを生成する。この駆動電圧ＶＬＤにより図１に示す照明器具１５ａ，１５ｂが点灯する。
【００６３】
そして、商用交流電圧ＶＡＣが供給されていないつまり停電のとき、バッテリ電圧ＶＢ１，ＶＢ２が供給されるスイッチ回路ＳＷ２２，ＳＷ２３を制御信号ＳＣ１，ＳＣ２によりオンオフ制御し、駆動電圧ＶＬＤを生成する。この駆動電圧ＶＬＤにより、図１に示す照明器具１５ａ，１５ｂは、第１の照度情報または第２の照度情報に応じた明るさにて点灯する。
【００６４】
図５（ａ）は、照明器具１５ａの消灯状態を示す。
図５（ｃ）は、第１の照度情報に基づいて点灯した照明器具１５ａを示し、図５（ｂ）は第２の照明情報に基づいて点灯した照明器具１５ａを示す。なお、図１に示す照明器具１５ｂについても同様である。
【００６５】
図５（ｃ）に示す状態（「フル点灯」と呼ぶ）にて照明器具１５ａを点灯することにより、室内が明るく照明される。これにより、室内にて快適に過ごすことを可能とする。図５（ｂ）に示す状態（「エコ点灯」と呼ぶ）にて照明器具１５ａを点灯した場合、図５（ｃ）に示す状態（フル点灯）と比べ、消費電力が少なくなる。このため、図５（ｃ）に示す状態と比べ、図５（ｂ）に示す状態（エコ点灯）にて照明器具１５ｂの点灯時間が長くなる。
【００６６】
ＣＰＵ３１は、スイッチ部２８の操作に基づいて、照明器具１５ａ，１５ｂを点灯制御する。たとえば、ＣＰＵ３１は、スイッチ部２８がオン操作された時間を監視する。そして、ＣＰＵ３１は、オンされている時間が所定のしきい値より短い場合を短押しと判定し、しきい値より長い場合を長押しと判定する。そして、ＣＰＵ３１は、短押しと判定したときに照明器具１５ａ，１５ｂの点灯と消灯とを切り替える。つまり、ＣＰＵ３１は、スイッチ部２８が操作される毎に、照明器具１５ａ，１５ｂの点灯と消灯とを交互に切り替える。これにより、照明器具１５ａ，１５ｂを任意のタイミングで点灯または消灯することができる。
【００６７】
また、ＣＰＵ３１は、スイッチ部２８の操作に基づいて、照明器具１５ａ，１５ｂの明るさを切り替える。つまり、ＣＰＵ３１は、スイッチ部２８が操作される毎に、照明器具１５ａ，１５ｂの制御に用いるパラメータ（照度情報）を、第１の照度情報と第２の照度情報とを交互に切り替える。
【００６８】
たとえば、照明器具１５ａが消灯しているとき（図５（ａ）参照）、スイッチ部２８の短押しにより、図５（ｃ）に示す状態（フル点灯）に変更する。そして、図５（ｃ）に示す状態（フル点灯）にて照明器具１５ａを点灯しているとき、スイッチ部２８の短押しにより、図５（ａ）に示す状態、つまり照明器具１５ａを消灯する。
【００６９】
また、図５（ｃ）に示す状態にて照明器具１５ａを点灯しているとき、スイッチ部２８の長押しにより、図５（ｂ）に示す状態（エコ点灯）に変更する。そして、図５（ｂ）に示す状態（エコ点灯）にて照明器具１５ａを点灯しているとき、スイッチ部２８の短押しにより、図５（ａ）に示す状態、つまり照明器具１５ａを消灯する。照明器具１５ｂについても同様である。
【００７０】
このように、スイッチ部２８の操作により、照明器具１５ａ，１５ｂの点灯状態を容易に変更することができる。
そして、ＣＰＵ３１は、照明器具１５ａ，１５ｂの制御に用いるパラメータ（照度情報）に基づいて、表示部２９の明るさを変更する。たとえば、第１の照度情報に応じて照明器具１５ａ，１５ｂを点灯する。このとき、ＣＰＵ３１は、表示部２９を所定間隔（たとえば１５秒毎）毎に所定時間（たとえば、１秒間）、表示部２９を暗くする。図２に示すように、ＣＰＵ３１には、トランジスタＴ４１，Ｔ４２が接続されている。ＣＰＵ３１は、トランジスタＴ４２をオンし、トランジスタＴ４１をオフする。これにより、図４（ｃ）に示す状態にて表示部２９が点灯する。次に、ＣＰＵ３１は、トランジスタＴ４２をオフし、トランジスタＴ４１をオンする。これにより、図４（ｂ）に示す状態にて表示部２９が点灯する。
【００７１】
また、第２の照度情報に応じて照明器具１５ａ，１５ｂを点灯する。このとき、ＣＰＵ３１は、表示部２９を所定間隔（たとえば１５秒）毎に所定時間（たとえば、１秒間）、表示部２９を明るくする。
【００７２】
つまり、照明器具１５ａ，１５ｂを明るく点灯している場合、表示部２９が周期的に暗くなる。このとき、スイッチ部２８を長押しすると、照明器具１５ａ，１５ｂが暗く点灯する。照明器具１５ａ，１５ｂを暗く点灯している場合、表示部２９が周期的に明るくなる。このとき、スイッチ部２８を短押しすると、照明器具１５ａ，１５ｂが明るく点灯する。したがって、ＣＰＵ３１は、表示部２９の明るさを周期的に変更することにより、照明器具１５ａ，１５ｂの明るさの変更が可能であることを示す。
【００７３】
このように、表示部２９の明るさが変化することにより、照明器具１５ａ，１５ｂの明るさの調整が可能であることを把握することができる。また、表示部２９の明るさにより、照明器具１５ａ，１５ｂの明るさが変化する方向（暗くなるか明るくなるか）を容易に把握することができる。
【００７４】
停電を検出したとき、ＣＰＵ３１は、２つのバッテリ２３ａ，２３ｂを順次使用し、照明器具１５ａ，１５ｂを点灯する。
詳述すると、ＣＰＵ３１は、分圧電圧Ｖｄａに基づいて商用交流電圧ＶＡＣの停電を検知すると、先ずバッテリ２３ａのバッテリ電圧ＶＢ１に基づいて、照明器具１５ａ，１５ｂを点灯する。このとき、ＣＰＵ３１は、制御信号ＳＣａのパルス幅を、所定値（たとえば０）から第１の照度情報に応じた値まで変更する。たとえば、ＣＰＵ３１は、制御信号ＳＣａのパルス幅を段階的に変更する。本実施形態では、照明器具１５ａ，１５ｂの明るさを２段階にて変更する。これにより、照明器具１５ａ，１５ｂは、段階的に明るくなる。たとえば夜間に停電した場合、照明器具１５ａ，１５ｂが明るく点灯すると、まぶしく感じる場合がある。これに対し、本実施形態では、照明器具１５ａ，１５ｂが徐々に明るくなるため、まぶしく感じることが少なくなる。
【００７５】
そして、ＣＰＵ３１は、分圧電圧Ｖｄ１に基づいてバッテリ２３ａの残量を検知する。バッテリ２３ａの残量が所定値より低くなると、ＣＰＵ３１は、所定レベル（たとえばグランドＧＮＤレベル）の制御信号ＳＣ１を出力し、スイッチ回路ＳＷ２２をオフする。所定値は、バッテリ２３ａの出力電圧ＶＢ１により照明器具１５ａ，１５ｂを点灯することが可能な電圧値の最低値に応じて設定されている。そして、ＣＰＵ３１は、第２の照度情報に応じたパルス幅にて制御信号ＳＣ２を出力する。これにより、ＣＰＵ３１は、バッテリ２３ｂの出力電圧ＶＢ２により、照明器具１５ａ，１５ｂを第２の照度情報に応じた明るさにて点灯する。
【００７６】
そして、ＣＰＵ３１は、表示部２９の点灯形態を変更する。たとえば、ＣＰＵ３１は、表示部２９を周期的に消灯する。詳しくは、ＣＰＵ３１は、表示部２９を図４（ｂ）に示す状態にて暗く点灯する。そして、ＣＰＵ３１は、所定間隔（たとえば１５秒）毎に所定時間（たとえば１秒間）、表示部２９を消灯する。このように表示部２９が周期的に消灯することにより、２つ目のバッテリ２３ｂにて照明器具１５ａ，１５ｂを点灯していることを容易に把握することができる。
【００７７】
また、ＣＰＵ３１は、分圧電圧Ｖｄ２に基づいてバッテリ２３ｂの残量を検知する。バッテリ２３ｂの残量が所定値より低くなると、ＣＰＵ３１は、所定レベル（たとえばグランドＧＮＤレベル）の制御信号ＳＣ２を出力し、スイッチ回路ＳＷ２３をオフする。所定値は、バッテリ２３ｂの出力電圧ＶＢ２により照明器具１５ａ，１５ｂを点灯することが可能な電圧値の最低値に応じて設定されている。そして、ＣＰＵ３１は、表示部２９の点灯形態を変更する。
【００７８】
たとえば、ＣＰＵ３１は、表示部２９を周期的に複数回消灯する。詳しくは、ＣＰＵ３１は、表示部２９を図４（ｂ）に示す状態にて暗く点灯する。そして、ＣＰＵ３１は、所定間隔（たとえば１５秒）毎に所定回数（たとえば２回）、表示部２９を消灯する。消灯する時間は、たとえば０．５秒であり、消灯間隔はたとえば０．５秒である。このように表示部２９が周期的に複数回消灯することにより、バッテリ２３ｂの残量が少なくなり、照明器具１５ａ，１５ｂを点灯することができないことを容易に把握することができる。
【００７９】
上記したように、ＣＰＵ３１は、バッテリ２３ａが異常か否かを判定する。バッテリ２３ａは、商用交流電圧ＶＡＣの供給に基づいて図１に示すコンバータ２２ｂから出力される出力電圧ＶＡ２により充電する。バッテリ２３ａの出力電圧ＶＢ１は、バッテリ２３ａの充電量に応じて変化する。バッテリ２３ａの出力電圧ＶＢ１は、充電開始から所定時間経過すると、所定のしきい値電圧より高くなる。したがって、ＣＰＵ３１は、所定時間経過後にバッテリ２３ａの出力電圧ＶＢ１がしきい値電圧を超えていない場合、バッテリ２３ａを異常と判定する。
【００８０】
そして、ＣＰＵ３１は、バッテリ２３ａを異常と判定した場合に、表示部２９の点灯形態を変更する。たとえば、ＣＰＵ３１は、表示部２９を図４（ｃ）に示す状態にて明るく点灯する。そして、ＣＰＵ３１は、所定間隔（たとえば１５秒）毎に１回、表示部２９を消灯する。このように、表示部２９が明るく点灯する状態と消灯する状態とが周期的に繰り返されることで、バッテリ２３ａの異常を容易に把握することができる。
【００８１】
同様に、ＣＰＵ３１は、バッテリ２３ｂが異常か否かを判定する。そして、ＣＰＵ３１は、バッテリ２３ｂを異常と判定した場合に、表示部２９の点灯形態を変更する。たとえば、ＣＰＵ３１は、表示部２９を図４（ｃ）に示す状態にて明るく点灯する。そして、ＣＰＵ３１は、所定間隔（たとえば１５秒）毎に複数回（たとえば２回）、表示部２９を消灯する。消灯する時間は、たとえば０．５秒であり、消灯間隔はたとえば０．５秒である。このように、表示部２９が明るく点灯する状態と複数回消灯する状態とが周期的に繰り返されることで、バッテリ２３ｂの異常を容易に把握することができる。
【００８２】
以上記述したように、本実施の形態によれば、以下の効果を奏する。
（１）点灯制御装置１４は、コンバータ２２ａ，２２ｂ、バッテリ２３ａ，２３ｂ、制御部２４、操作スイッチ２７を有している。操作スイッチ２７は、スイッチ部２８と表示部２９を有している。コンバータ２２ａは、商用交流電圧ＶＡＣを駆動電圧ＶＡ１に変換する。コンバータ２２ｂは、商用交流電圧ＶＡＣを出力電圧ＶＡ２に変換する。バッテリ２３ａ，２３ｂは、コンバータ２２ｂの出力電圧ＶＡ２により充電される。制御部２４は、駆動電圧ＶＡ１に基づいて商用交流電圧ＶＡＣが停電しているか否かを判定し、判定結果に基づいて商用交流電圧ＶＡＣが停電していないと判定したときに駆動電圧ＶＡ１に基づいて照明器具１５ａ，１５ｂに供給する駆動電圧ＶＬＤを生成する。そして、照明器具１３ａ，１３ｂを点灯及び消灯する外部スイッチ１２の操作に基づいて照明器具１５ａ，１５ｂを点灯及び消灯する。また、制御部２４は、判定結果に基づいて商用交流電圧ＶＡＣが停電していると判定したときにバッテリ２３ａ，２３ｂの出力電圧に基づいて駆動電圧ＶＬＤを生成し照明器具１５ａ，１５ｂを点灯制御する。
【００８３】
したがって、照明器具１５ａ，１５ｂは、商用交流電圧ＶＡＣの停電時にバッテリ２３ａ，２３ｂの出力電圧に基づいて生成した駆動電圧ＶＬＤにより点灯制御される。そして、照明器具１５ａ，１５ｂは、商用交流電圧ＶＡＣが停電していないときに、照明器具１３ａ，１３ｂを点灯・消灯する外部スイッチ１２の操作に基づいて点灯制御される。このように、照明器具１５ａ，１５ｂを容易に点灯制御することが可能となる。
【００８４】
（２）制御部２４は、判定結果に基づいて商用交流電圧ＶＡＣの停電時に、照明器具１５ａ，１５ｂを徐々に明るく点灯するように駆動電圧ＶＬＤを生成する。したがって、商用交流電圧ＶＡＣの停電時に照明器具１５ａ，１５ｂが徐々に明るくなるため、照明器具１５ａ，１５ｂをまぶしく感じることを低減することができる。
【００８５】
（３）バッテリ２３ａ，２３ｂは、出力電圧ＶＡ２により充電されるバッテリ２３ａ及びバッテリ２３ｂを含む。制御部２４は、バッテリ２３ａから出力されるバッテリ電圧ＶＢ１をしきい値電圧と比較し、バッテリ電圧ＶＢ１がしきい値電圧以上のときにはバッテリ電圧ＶＢ１に基づいて照明器具１５ａ，１５ｂに供給する駆動電圧ＶＬＤを生成して第１の明るさにて照明器具１５ａ，１５ｂを点灯する。また、制御部２４は、バッテリ電圧ＶＢ１がしきい値電圧より低いときにはバッテリ２３ｂから出力されるバッテリ電圧ＶＢ２に基づいて駆動電圧ＶＬＤを生成して第１の明るさよりも暗い第２の明るさにて照明器具１５ａ，１５ｂを点灯する。したがって、バッテリ２３ａとバッテリ２３ｂにより照明器具１５ａ，１５ｂを点灯することができる。そして、バッテリ２３ａにより照明器具１５ａ，１５ｂを点灯するときの明るさよりもバッテリ２３ｂにより照明器具１５ａ，１５ｂを点灯するときの明るさを暗くすることで、バッテリ２３ａとバッテリ２３ｂとで同じ明るさにて照明器具１５ａ，１５ｂを点灯する場合と比べ、照明器具１５ａ，１５ｂを点灯する時間を長くすることができる。
【００８６】
（４）制御部２４は、スイッチ部２８の操作に基づいて、照明器具１５ａ，１５ｂを点灯・消灯し、点灯した照明器具１５ａ，１５ｂの明るさを、スイッチ部２８が長押しされる毎に第１の明るさと第２の明るさとを交互に切り替える。したがって、スイッチ部２８の操作により、照明器具１５ａ，１５ｂの明るさを容易に変更することができる。そして、第１の明るさにて照明器具１５ａ，１５ｂを点灯することにより、快適な明るさを得ることができる。また、第２の明るさにて照明器具１５ａ，１５ｂを点灯することにより、長期間にわたって照明器具１５ａ，１５ｂを点灯することができる。
【００８７】
（５）制御部２４は、照明器具１５ａ，１５ｂの点灯制御に応じて表示部２９を所定の周期にて点灯制御するものである。所定の周期は、第１の期間と、第１の期間より短い第２の期間とを含む。制御部２４は、照明器具１５ａ，１５ｂを第１の明るさにて点灯しているときに、第２の期間の明るさを第１の期間の明るさよりも暗くする。また、制御部２４は、照明器具１５ａ，１５ｂを第２の明るさにて点灯しているときに、第１の期間の明るさを第２の期間の明るさよりも暗くする。したがって、表示部２９の明るさは、照明器具１５ａ，１５ｂの点灯状態に応じて変化する。このため、照明器具１５ａ，１５ｂの明るさの変更が可能であることを容易に把握することができる。また、表示部２９の明るさにより、設定を変更した場合に明るさが変化する方向を容易に把握することができる。
【００８８】
（６）制御部２４は、商用交流電圧ＶＡＣの停電中に、スイッチ部２８の操作に基づいて照明器具１５ａ，１５ｂを点灯・消灯する。したがって、スイッチ部２８により、商用交流電圧ＶＡＣの停電時に照明器具１５ａ，１５ｂを容易に点灯・消灯することができる。そして、照明器具１５ａ，１５ｂを消灯することによりバッテリ２３ａ，２３ｂの電力消費が少なくなり、照明器具１５ａ，１５ｂを点灯する期間を長くすることが可能となる。
【００８９】
（７）ＣＰＵ３１は、第１の照度情報に応じたパルス幅の制御信号ＳＣ１，ＳＣ２を出力し、スイッチ回路ＳＷ２２，ＳＷ２３をオンオフ制御する。図５（ｃ）に示す状態にて照明器具１５ａを点灯することにより、室内が明るく照明される。これにより、室内にて快適に過ごすことを可能とする。図５（ｂ）に示す状態にて照明器具１５ａを点灯した場合、図５（ｃ）に示す状態と比べ、消費電力が少なくなる。つまり、図１に示すバッテリ２３ａ，２３ｂの電力を節約することができる。そして、図５（ｃ）に示す状態と比べ、図５（ｂ）に示す状態にて照明器具１５ｂの点灯時間が長くなる、つまり長時間、照明器具１５ａを点灯することができる。
【００９０】
尚、上記各実施の形態は、以下の態様で実施してもよい。
・バッテリを１つまたは３つ以上としてもよい。また、図１に示すバッテリ２３ａを、並列接続した２つ以上のバッテリ（バッテリパック）により構成してもよい。同様に、バッテリ２３ｂを並列接続した２つ以上のバッテリ（バッテリパック）により構成してもよい。
【００９１】
・点灯制御装置１４に接続する照明器具の数を１つまたは３つ以上としてもよい。
・図２は、制御部２４の一回路例を示すものであり、制御部２４を適宜変更してもよい。たとえば、駆動電圧ＶＡ１、バッテリ電圧ＶＢ１，ＶＢ２をダイオードＤ２１，Ｄ２２，Ｄ２３のアノードに供給する。それらのダイオードＤ２１〜Ｄ２３のカソードを互いに接続し、その接続点を１つのスイッチ回路を介して保護素子Ｆ２１に接続する。そして、１つのスイッチ回路をＣＰＵ３１によりオンオフ制御し、駆動電圧ＶＬＤを生成する。
【００９２】
・上記実施形態では、スイッチ部２８の短押しにより、照明器具１５ａの消灯（図５（ａ））とフル点灯（図５（ｃ））を交互に切り替えた。これに対し、消灯したときの明るさの状態を記憶し、スイッチ部２８の短押しにより記憶している明るさの状態にて照明器具１５ａを点灯するようにしてもよい。
【００９３】
・上記実施形態に対し、図５（ｂ）に示す状態（エコ点灯）にて照明器具１５ａを点灯しているときに、スイッチ部２８の操作（たとえば長押し）により図５（ｃ）に示す状態（フル点灯）にて照明器具１５ａを点灯するようにしてもよい。
【００９４】
・上記実施形態では、停電を検知した場合に、照明器具１５ａ，１５ｂを段階的（２段階）にて徐々に明るくした。これに対し、照明器具１５ａ，１５ｂを３段階以上の複数段階にて徐々に明るくするようにしてもよい。また、照明器具１５ａ，１５ｂを連続的に徐々に明るくするようにしてもよい。
【００９５】
・上記実施形態に対し、照明器具１５ａ，１５ｂの明るさを３段階以上に変更するようにしてもよい。
・上記実施形態では、室内の天井に配設された照明器具１５ａ，１５ｂを点灯制御する点灯制御装置１４としたが、駐車場灯や街路灯などの屋外灯を点灯制御するようにしてもよい。
【００９６】
・上記実施形態では、点灯制御装置１４を室内の壁面に設置することとしたが、その他の箇所に設置されてもよい。たとえば、駐車場灯や街路灯などの屋外灯の支柱内に設置されてもよい。また、駐車場灯や街路灯などに電力を供給する配電盤等に設置されてもよい。
【００９７】
・上記実施形態の点灯制御装置１４は、壁面に配設された外部スイッチ１２の操作に応じて照明器具１５ａ，１５ｂを点灯制御したが、外部スイッチ１２を適宜変更してもよい。たとえば、明るさを検知するセンサ（照度センサ）等を用いてもよい。商用交流電圧ＶＡＣが供給されているとき、明るさに応じて照明器具１３ａ，１３ｂ，１５ａ，１５ｂを自動的に点灯・消灯することができる。そして、商用交流電圧ＶＡＣが停電したとき、照明器具１５ａ，１５ｂを点灯することができる。
【符号の説明】
【００９８】
１１…商用交流電源、１２…外部スイッチ、１３ａ，１３ｂ…照明器具（第２の照明器具）、１４…点灯制御装置、１５ａ，１５ｂ…照明器具（第１の照明器具）、２２ａ…コンバータ（第１の変換回路）、２２ｂ…コンバータ（第２の変換回路）、２３ａ…バッテリ（第１のバッテリ、蓄電池）、２３ｂ…バッテリ（第２のバッテリ、蓄電池）、２４…制御部、２８…スイッチ部（内部スイッチ）、２９…表示部、ＶＡＣ…商用交流電圧、ＶＡ１…第１の直流電圧、ＶＡ２…第２の直流電圧、ＶＢ１，ＶＢ２…出力電圧、ＶＬＤ…駆動電圧。
【要約】
【課題】停電時に点灯する照明器具を容易に点灯制御することを可能とすること。
【解決手段】点灯制御装置１４のコンバータ２２ａ，２２ｂは、商用交流電圧ＶＡＣを直流電圧に変換する。バッテリ２３ａ，２３ｂは、コンバータ２２ｂの出力電圧ＶＡ２により充電される。制御部２４は、出力電圧ＶＡ１に基づいて商用交流電圧ＶＡＣが停電しているか否かを判定する。制御部２４は、商用交流電圧ＶＡＣが停電していないときに出力電圧ＶＡ１に基づいて照明器具１５ａ，１５ｂに供給する駆動電圧ＶＬＤを生成し、照明器具１３ａ，１３ｂを点灯及び消灯する外部スイッチ１２の操作に基づいて照明器具１５ａ，１５ｂを点灯及び消灯する。制御部２４は、商用交流電圧ＶＡＣが停電しているときにバッテリ２３ａ，２３ｂの出力電圧に基づいて駆動電圧ＶＬＤを生成し照明器具１５ａ，１５ｂを点灯制御する。
【選択図】図１【図１】
0005977411.tif 000002
【図２】
0005977411.tif 000003
【図３】
0005977411.tif 000004
【図４】
0005977411.tif 000005
【図５】
0005977411.tif 000006